(57)【特許請求の範囲】
【請求項１】
地中に埋設される本体と，前記本体内に収容される灯具と，前記本体の上端開口を被蓋する透光性の蓋体を備えた地中埋設型の照明器具において，
前記本体をアルミ又はアルミ合金によって形成すると共に，中央部に開口が形成された仕切壁によって前記本体内を上下に仕切り，下段の室を,前記灯具を収容する灯具室と成すと共に，前記透光性の蓋体と前記仕切壁間における前記本体内の空間を更に第１の透明板によって上下に仕切り，
前記灯具室内に収容された前記灯具に，光源ランプと，前記光源ランプからの光を上方に向けて反射する，上向きに開口したリフレクタと，前記リフレクタの開口部前方を覆う透光性フィルタを設け，前記リフレクタの反射面と前記透光性フィルタに波長７４０nm〜１１５０nmの光吸収性を付与すると共に，前記透光性フィルタを通過した光を前記仕切壁に設けた前記開口を介して前記透光性の蓋体に向けて照射できるよう前記灯具を前記灯具室内に収容し，
前記仕切壁の前記開口を，第２の透明板によって被蓋したことを特徴とする地中埋設型照明器具。
【請求項２】
地中に埋設される本体と，前記本体内に収容される灯具と，前記本体の上端開口を被蓋する透光性の蓋体を備えた地中埋設型の照明器具において，
前記本体をアルミ又はアルミ合金によって形成すると共に，中央部に開口が形成された仕切壁によって前記本体内を上下に仕切り，下段の室を,前記灯具を収容する灯具室と成すと共に，前記透光性の蓋体と前記仕切壁間における前記本体内の空間を更に第１の透明板によって上下に仕切り，
前記灯具室内に収容された前記灯具に，光源ランプと，前記光源ランプからの光を上方に向けて反射する，上向きに開口したリフレクタと，前記リフレクタの開口部前方を覆う透光性フィルタを設け，前記リフレクタの反射面と前記透光性フィルタに波長７４０nm〜１１５０nmの光吸収性を付与すると共に，前記リフレクタの開口縁を上方に延長するコーンを設け，前記コーンの上端を前記仕切壁に設けた前記開口内に係止して前記灯具室内に前記灯具を吊り下げ，かつ，前記透光性フィルタを通過した光を前記仕切壁に設けた前記開口を介して前記透光性の蓋体に向けて照射できるよう前記灯具を前記灯具室内に収容し，
前記仕切壁の前記開口を，第２の透明板によって被蓋したことを特徴とする地中埋設型照明器具。
【請求項３】
前記仕切壁の前記開口を被蓋する前記第２の透明板に，波長７４０nm〜１１５０nmの光吸収性を付与したことを特徴とする請求項１又は２記載の地中埋設型照明器具。
【請求項４】
前記本体の外周に，放熱フィンを設けたことを特徴とする請求項１〜３いずれか１項記載の地中埋設型照明器具。
【請求項５】
前記リフレクタ及び／又はフィルタは，光学薄膜の積層体を成す，誘導体多層膜を形成したことを特徴とする請求項１〜４いずれか１項記載の地中埋設型照明器具。
【発明の詳細な説明】
【技術分野】
【０００１】
本発明は地中埋設型照明器具に関し，より詳細には容器状に形成された本体内部に灯具等の構成機器を収容した状態で前記本体を地中に埋設し，この本体の上端開口部を覆う透光性の蓋体を介して本体外に上向きの光を照射して照明する地中埋設型照明器具に関する。
【背景技術】
【０００２】
地中に埋設して使用する地中埋設型照明器具は，公園や遊歩道，庭園等の地中に埋設されて，植栽やオブジェ，その他の建造物，看板等を照らすための照明器具として使用されている。
【０００３】
このように，屋外において地中に埋設して使用される地中埋設型照明器具にあっては，灯具や安定器等の構成機器を土や埃，その他の塵芥や，降雨や積雪等より保護するために，上端部に設けた開口を介してこれらを内部に収容可能な容器状に形成された本体を設け，この本体を地中に埋設すると共に，本体に設けた前記開口を介して内部に灯具等の機器を収容した後，この開口をカバーガラス等の透光性の蓋体によって覆うことで，上端開口及びこれを覆う蓋体を介して照射光を上向きに照射できるようにしている。
【０００４】
このような地中埋設型照明器具にあっては，前述した本体の上端開口部を覆う前述の透光性の蓋体を強化ガラス等によって形成し，歩行者等が透光性の蓋体上に乗った場合であってもこれを支えるに十分な強度を持たせていると共に，この透光性の蓋体の表面が路面と略同一高さとなるように地中に埋設することで，路面と地中埋設型照明器具間に段差が生じないようにして，地中埋設型照明器具の設置によっても歩行者の歩行等が妨げられることのないようにしている。
【０００５】
以上のように構成された地中埋設型照明器具では，光源用のランプとして高圧ナトリウム灯，メタルハライドランプ（マルチハロゲン灯など），水銀灯等の所謂「ＨＩＤランプ(High Intensity Discharge Lamp）」と呼ばれる高輝度放電灯を使用するが，この種のランプが放射する光には熱線（赤外線）が含まれることから，地中埋設型照明器具の本体上端に設けた開口部を覆う前述の透光性の蓋体がこの熱線（赤外線）によって加熱されて高温になる。そのため，靴等を介して透光性の蓋体に触れる分には問題は無いが，この蓋体に誤って直接触れる等した場合には火傷等の危険がある。
【０００６】
このように，透光性の蓋体が高温となることを防止するために，光源ランプと透光性の蓋体間の距離を広く取ることを提案する先行技術も存在しており，一例として，図６（Ａ）に示すように光源ランプ２２０の長軸を垂直方向に配置する地中埋設型照明器具２００の一般的な構成に対し，図６（Ｂ）に示すように光源ランプ２２０の長軸を水平方向に配置することで，照明器具本体２１０の全高を増加させることなく光源ランプ２２０と蓋体２４０間の間隔を増大させることで，蓋体２４０の温度上昇を抑制することも提案されている（特許文献１「0012」欄）。
【先行技術文献】
【特許文献】
【０００７】
【特許文献１】実用新案登録第３１４５２０６号公報
【発明の概要】
【発明が解決しようとする課題】
【０００８】
ここで，赤外線による加熱は，光源から輻射されて対象物に照射された赤外線（赤外線は特定波長の電磁波である）が，対象物中に共振吸収され，この吸収されたエネルギーが対象物の分子（原子）を振動させることによって発熱することにより生じる現象であるから，赤外線による加熱は，温風等による加熱のような空気等の熱媒を介した「熱」の移動ではなく，「光エネルギー」による発熱として捉えることができる。
【０００９】
このように赤外線を,光をエネルギーとして捉えた上で，前述した特許文献１に記載されているように光源ランプ２２０の軸線方向の向きを変更することの作用を考えると，特許文献１に記載の構成を採用しても，赤外線の輻射に伴う透光性の蓋板２４０の温度上昇は殆ど抑制できないことが判る。
【００１０】
すなわち，図６（Ａ）に示すように光源ランプ２２０の軸線方向を垂直方向とした配置から，図６（Ｂ）に示すように光源ランプ２２０の軸線方向を水平方向に変更した場合，光源ランプ２２０の外管バルブと透光性の蓋体２４０間の距離は確かに図６（Ａ）中のｌから，図６（Ｂ）中のＬに広がることになるが，発光点の配置はリフレクタの形状と配置によって決まるので，光源ランプ２２０の向き以外をそのままとした場合，赤外線を発生している光源ランプ２２０の発光点と蓋体２４０間の距離Ｄはいずれの向きで光源ランプ２２０を配置しても変化しない。
【００１１】
そのため，特許文献１の記載に従って光源ランプ２２０の軸線方向の向きを変化させたとしても，透光性の蓋体２４０に輻射される赤外線のエネルギーを低減させる何等の効果も無いことから，特許文献１に記載の構成では赤外線の共振吸収に伴う蓋体２４０の発熱を防止することはできない。
【００１２】
そうすると，特許文献１には蓋体２４０が赤外線の輻射によって発熱することを防止しようという発想は無く，光源ランプ２２０自体を発熱体と捉え，この発熱体に対し，透光性の蓋体２４０をなるべく遠くに離して配置することで，空気等を媒体とした「熱伝導」によって透光性の蓋体２４０が加熱されることを僅かでも抑制しようというものであることが判る。
【００１３】
確かに，点灯によって光源ランプ２２０は発熱するが，この種の照明器具に使用される前述のＨＩＤランプは，ハロゲンランプ等に比較してエネルギー効率が良いために発熱量自体が少なく，また，高温となる発光管が高真空の外管バルブ内に収容されていることと，この外管バルブとして赤外線の吸収率が低い石英ガラスが使用されていることから，外管バルブの温度はさほど高くはならない。
【００１４】
そのため，特許文献１に記載されているように光源ランプの軸線方向を水平方向として，光源ランプ２２０の外管バルブと透光性の蓋体２４０間の間隔をたかだか数cm程度広げることができたとしても，このことによって透光性の蓋体２４０の温度を大幅に下げる効果が得られるとは考えられない。
【００１５】
このように，特許文献１で紹介している方法では，光エネルギーとしての赤外線によって透光性の蓋体２４０が温度上昇することも，また，空気等を介した熱伝導によって蓋体２４０の温度が上昇することのいずれも抑制することができない。
【００１６】
そこで本発明は，光源ランプから輻射された赤外線（熱線）を「光エネルギー」として捉え，透光性の蓋体に入射する前にこの赤外線をカットすることにより，透光性の蓋体が赤外線を共振吸収しないようにして蓋体が発熱することを効果的に防止すると共に，透光性の蓋体に対して輻射される前に赤外線をカットすることによって，この赤外線のカットに使用した機器が発熱するという新たな課題に対処して，このようにして生じた熱が本体内に籠らないようにすることで本体内に収容した光源ランプや安定器等にダメージが及ぶことを防止し，更に，熱線のカットに使用した機器の発熱が空気等を媒体として透光性の蓋体に伝わることをも防止することで，熱の伝導によって透光性の蓋体が加熱されることをも防止し得る構造を備えた地中埋設型照明器具を提供することを目的とする。
【課題を解決するための手段】
【００１７】
以下に，課題を解決するための手段を，発明を実施するための形態で使用する符号と共に記載する。この符号は，特許請求の範囲の記載と発明を実施するための形態の記載との対応を明らかにするためのものであり，言うまでもなく，本願発明の特許請求の範囲の技術的範囲の解釈に制限的に用いられるものではない。
【００１８】
上記目的を達成するために，本発明の地中埋設型照明器具１は，地中に埋設される本体１０と，前記本体１０内に収容される灯具２０と，前記本体１０の上端開口１２を被蓋する透光性の蓋体４０を備えた地中埋設型の照明器具１において，
前記本体１０をアルミ又はアルミ合金によって形成すると共に，中央部に開口１５２が形成された仕切壁１５１によって前記本体１０内を上下に仕切り，下段の室を,前記灯具２０を収容する灯具室３０と成すと共に，前記透光性の蓋体４０と前記仕切壁１５１間における前記本体内の空間を更に第１の透明板５０によって上下に仕切り，
前記灯具室３０内に収容された前記灯具２０に，光源ランプ２２と，前記光源ランプ２２からの光を上方に向けて反射する，上向きに開口したリフレクタ２３と，前記リフレクタ２３の開口部前方を覆う透光性フィルタ２４を設け，前記リフレクタ２３の反射面と前記透光性フィルタ２４に波長７４０nm〜１１５０nmの光吸収性を付与すると共に，前記透光性フィルタ２４を通過した光を前記仕切壁１５１に設けた前記開口１５２を介して前記透光性の蓋体４０に向けて照射できるよう前記灯具２０を前記灯具室３０内に収容し，
前記仕切壁１５１の前記開口１５２を，第２の透明板６０によって被蓋したことを特徴とする（請求項１）。
【００１９】
上記請求項１の構成に加え，前記リフレクタ２３の開口縁を上方に延長するコーン２５を設け，前記コーン２５の上端を前記仕切壁１５１に設けた前記開口１５２内に係止して前記灯具室３０内に前記灯具２０を吊り下げて，前記灯具２０を前記灯具室３０内に収容すれば，好適である。（請求項２）
【００２０】
上記構成の地中埋設型照明器具において，前記仕切壁１５１の前記開口１５２を被蓋する前記第２の透明板６０に，波長７４０nm〜１１５０nmの光吸収性を付与するものとしても良い（請求項３）。
【００２１】
更に，前記本体１０の外周には，放熱フィン１７を設けることが好ましい（請求項４）。
【００２２】
なお，光源ランプの赤外線吸収を効率的に行うため，前記リフレクタ及び／又はフィルタは，入射光線を透過と反射によって分岐する作用を有する光学薄膜の積層体を成す，誘導体多層膜を形成すれば好適である（請求項５）。
【発明の効果】
【００２３】
以上で説明した本発明の構成により，本発明の地中埋設型照明器具１によれば，以下の顕著な効果を得ることができた。
【００２４】
灯具２０に設けたリフレクタ２３の反射面に波長７４０nm〜１１５０nmの光吸収性を付与すると共に，前記リフレクタ２３の前方を波長７４０nm〜１１５０nmの光吸収性を有する透光性フィルタ２４で覆うことにより，光源ランプ２２からの光は赤外線がカットされた状態で透光性の蓋体４０に向けて照射されるため，赤外線の吸収によって透光性の蓋体４０が発熱することを防止できた。
【００２５】
一方，リフレクタ２３や透光性フィルタ２４は，前述のように赤外線を吸収するように構成されているため，赤外線を吸収したリフレクタ２３や透光性フィルタ２４は高温に発熱することとなるが，本体１０を熱伝導性の良いアルミ乃至はアルミ合金によって形成すると共に，発熱を生じるリフレクタ２３や透光性フィルタ２４を備えた灯具２０を本体１０内に設けた灯具室３０内に収容したことにより，リフレクタ２３や透光性フィルタ２４で生じた熱は，灯具室３０内で生じる空気の対流によって冷却されると共に，本体１０に容易に吸収されて地中に放熱される一方，リフレクタ２３や透光性フィルタ２４と透光性の蓋体４０との間には，仕切壁１５１と第１の透明板５０間に形成された空気層３１と，第１の透明板５０と透光性の蓋体４０間に形成された空気層３２という２つの空気層が介在するために，リフレクタ２３や透光性フィルタ２４の熱が空気を媒体として透光性の蓋体４０に伝わることも防止することができた。
【００２６】
その結果，上記構成を備えた地中埋設型照明器具１にあっては，透光性の蓋体４０の温度を比較的低温，好ましくは直接人体に触れても熱さを感じない３８℃以下に維持することができると共に，灯具２０に設けた光源ランプ２２や，灯具２０と共に本体１０内に収容されている安定器等が本体１０内に籠もった熱によりダメージを受けることを好適に防止することができた。
【００２７】
仕切壁１５１に設けた開口１５２を被蓋する第２の透明板６０についても波長７４０nm〜１１５０nmの光吸収性を有するものとした場合には，透光性の蓋体４０に対して輻射される光中に含まれる赤外線をより減少させることができ，その結果，透光性の蓋体４０の温度を更に低く抑えることができた。
【００２８】
前記本体１０の外周に，放熱フィン１７を形成した構成にあっては，この放熱フィン１７によって本体１０に伝導された熱を地中に伝導し易く，本体１０を好適に冷却させることができただけでなく，放熱フィン１７が地中に噛み込むことで，本体１０を強固に埋設することができた。
【図面の簡単な説明】
【００２９】
【図１】本発明の地中埋設型照明器具の側面図。
【図２】本発明の地中埋設型照明器具の平面図。
【図３】図２のIII−III線断面図。
【図４】本体の上端開口部分の拡大図。
【図５】透光性の蓋体の部分拡大図。
【図６】従来技術の説明図であり，（Ａ）は光源ランプの軸線方向を垂直とした構成，（Ｂ）は光源ランプの軸線方向を水平方向とした特許文献１の構成。
【発明を実施するための形態】
【００３０】
次に，添付図面を参照しながら本発明の照明器具について説明する。
【００３１】
本発明の照明器具１は上端縁１１が路面等と略同一高さとなるように地中に埋設した状態で使用される本体１０と，前記本体１０の上端に形成された開口１２を被蓋する透光性の蓋体４０を備え，前記本体１０内に収容された灯具２０によって照射された光を,前記開口１２を覆う透光性の蓋体４０を介して外部に照射することができるようにした地中埋設型の照明器具であり，地中に埋設されて灯具２０やその附属品（安定器等）を収容する前述の本体１０と，この本体１０の上端開口１２を被蓋する，前述した透光性の蓋体４０を備えている（図１〜３）。
【００３２】
〔本体〕
本発明の照明器具１を構成する前述の本体１０は，地中に埋設した状態で使用するもので，図３に示すように内部に灯具２０及びその附属機器〔例えば安定器等（図示せず）〕を収容する空間が形成されていると共に，上端には本体１０内に前述の灯具２０等の機器を収容等することができるようにするための開口１２が形成されている。
【００３３】
本実施形態にあっては，この本体１０を，矩形状に形成された底板１３（図２参照）上に，前記底板１３の四隅部分に対応する位置を切り取った八角形の角筒部１４と，前記角筒部１４上に設けられた略裁頭円錐状の円錐部１５と，該円錐部１５上に形成された円筒部１６によって構成された形状としている（図１〜３参照）。
【００３４】
このように形成することで，本実施形態における本体１０は上端に対し下部が幅広となる形状となっており，後述する灯具２０を収容する空間である灯具室３０が広く形成されることで，灯具室３０内の空気が対流することで発熱した灯具２０の冷却が効率的に行われると共に，本体１０内で工具等を使用して行う灯具２０等の取付作業等が行い易いものとなっている。
【００３５】
もっとも，本発明の照明器具１に使用する本体１０は，内部に灯具２０等を収容するに充分な空間が形成されていると共に，上端に開口１２が形成された形状であれば，前述した角筒部１４や円錐部１５，円筒部１６を備えた図示の形状に限定されることなく，より単純な形状，例えば全体として有底円筒状に形成する等しても良い。
【００３６】
本実施形態における照明器具１の本体１０は，良好な熱伝導性が得られるようアルミ乃至はアルミ合金によって構成されており，アルミ乃至はアルミ合金を前述の形状に成型した後に，表面（必要に応じて内部表面を含む）に耐候性を付与するための表面処理が施されている。
【００３７】
本実施形態にあっては，一例として照明器具１の本体１０を，加工の容易性，熱伝導性の良さから前述したアルミ材を低圧鋳造により製造し，この低圧鋳造した本体１０の表面に，順に金属亜鉛処理，化成処理，塗装及び焼き付けの各処理を施し，金属亜鉛層である第１層を化学反応で強固に結び付けると共に，高耐食性化成皮膜層である第２層，セラミック系材料を使用した表面焼成層である第３層を架橋効果で強固に結び付けた「ラスパート」（商標）処理を行うことにより耐候性を付与し，かつ，低圧鋳造の際に生じた巣等を塞いで本体１０の気密性を高めている。
【００３８】
もっとも，この本体１０に対する耐候性付与の処理は，既知の他の加工材料，他の加工方法を用いるものであっても良い。
【００３９】
このように形成された照明器具１の本体１０外周，本実施形態にあっては，前述の円錐部１５の外周には放熱用のフィン１７を多数形成して，本体に伝導された熱を地面（コンクリート等）に対して伝導し易くしていると共に，地中に埋設した際のコンクリートの食いつき性の向上を図っている。
【００４０】
なお，図示の実施形態にあっては，円筒部１６の外周には，地面に埋設した際のコンクリートの食いつきを良好とするための多数の凸条１７’を設けているが，この凸条１７’に代えて，円錐部１５の外周部分と同様，円筒部１６の外周にも放熱フィンを設けるものとしても良い。
【００４１】
なお，図３中の符号１８は導入口で，この導入口１８を介して照明器具１の本体１０内に対する配線を導入する。この引き込み線の導入口１８には防水ソケット（図示せず）を取り付け，この防水ソケット内に引き込み線（図示せず）を挿通させて，照明器具本体１０内への引き込み線の導入が行われている。
【００４２】
照明器具１の本体１０上端に形成された開口１２の内周には，図４に示すようにその上端寄りに位置して下方に傾斜する傾斜段部１６１が形成されていると共に，この傾斜段部１６１の下方において，内周方向に突出した，上面にボルトが螺合される有底孔１６８が所定間隔で形成されたフランジ１６２が設けられており，このフランジ１６２によって開口１２内にシール材を介して嵌合された透光性の蓋体４０を係止することができるように構成されている。
【００４３】
このフランジ１６２は，その内周縁部分においてその肉厚が減じられてフランジ１６２の内周縁側の上面には更に係止段部１６４が形成されており，この係止段部１６４に，後述する第１の透明板５０の周縁部を載置することができるようになっている。
【００４４】
更に，図３に示すようにこの本体１０内には，図示の実施形態にあっては前述の円錐部１５の高さ方向における略中間位置に本体１０内の空間を上下に仕切る仕切壁１５１が，本体１０の内壁より中央側に向かって突出形成されており，この仕切壁１５１の下方が，後述する灯具２０を収容するための灯具室３０となっていると共に，この仕切壁１５１の中心には本体１０の上端開口１２と同心を成す円形の開口１５２が形成されており，灯具室３０に収容された灯具２０からの光が，この開口１５２を介して上端開口１２より本体１０外に照射できるようになっている。
【００４５】
〔灯具〕
以上のように構成された本体１０の灯具室３０内には，灯具２０が収容され，この灯具２０より照射された光を開口１２及びこの開口を塞ぐ透光性の蓋体４０を介して本体１０外に照射することで照明を行うことができるようになっている。
【００４６】
この灯具２０は，図示の例では前述の導入口１８を介して本体内に導入された電源コードと接続されるソケット２１と，該ソケット２１に取り付けられたＨＩＤランプ等の光源ランプ２２，前記光源ランプ２２で生じた光を上方に向けて反射する碗形のリフレクタ２３，前記リフレクタ２３の前面を覆う透光性フィルタ２４，前記リフレクタ２３の上端開口部を上向きに延長する略円筒状に形成されたコーン２５を備えると共に，これらの各構成部品を内部に収容して相互に所定の位置に配置固定する，フレーム２６を備えている。
【００４７】
本実施形態にあっては，リフレクタ２３の前方を覆う前述の透光性フィルタ２４を，前述のコーン２５の下端部に近接して取り付けていると共に，このコーン２５の上端縁に，外向きに突出するフランジ２５ａを形成し，ソケット２１側を下向きにして仕切壁１５１の中央に設けた開口１５２内に灯具２０を挿入すると，コーン２５の上端外周縁に設けた前述のフランジ２５ａが仕切壁１５１に設けた開口１５２の縁に係止されて灯具２０を灯具室３０内に吊り下げた状態に収容することができる。
【００４８】
これにより，多種の灯具において，前記コーンの上端面外形を同一に構成すれば，あらゆる種類の灯具を吊り下げて収容し，その交換も容易である。
【００４９】
この灯具２０に設けた前述のリフレクタ２３は，鏡面等として形成された反射面に波長７４０nm〜１１５０nmの光吸収性を有する材質による被膜を形成する等して，光源ランプ２２からの光をリフレクタ２３で反射する際に，赤外線の波長域にある波長７４０nm〜１１５０nmの光をリフレクタ２３に吸収させると共に，それ以外の波長の光を反射することで，リフレクタ２３の反射面で反射して透光性の蓋体４０に向かって照射される反射光中の熱線（赤外線）を除去乃至は減少させることができるようにしている。
【００５０】
前記リフレクタは，本実施形態においては，高純度アルミニウム素材に真空蒸着により，光学薄膜の積層体を成す，誘導体多層膜が形成され，前記波長光を吸収させる構成である。
【００５１】
図示の実施形態にあっては，光源ランプ２２の先端にキャップ２７を被せることにより，光源ランプ２２からの直接光が透光性の蓋体４０側に向けて照射されることを防止することで，透光性の蓋体４０側に向かう光を全てリフレクタ２３によって反射された光とし，透光性の蓋体４０に対して入射される光より赤外線成分を確実に除去乃至は減少させることができるようにしている。
【００５２】
そして，このリフレクタ２３の前方を覆う透光性フィルタ２４は，波長７４０nm〜１１５０nmの光を吸収し，その他の波長の光を透過する透光性を有するものとすることで，リフレクタ２３によって反射する際に赤外線の吸収が行われた光の中に依然として含まれている赤外線の成分を，更にこの透光性フィルタ２４で吸収した後に透光性の蓋体４０に向かって照射できるようにすることで，透光性の蓋体４０の発熱をより確実に防止することができる。
【００５３】
従って，前記透光性フィルタは，前記リフレクタと同様に，又はこれに替え，この透光性フィルタに，硬質ガラスに前記リフレクタと同様の真空蒸着による光学薄膜の積層体を成す，誘導体多層膜を形成し，前記波長光を吸収させることができる。
【００５４】
以上のようにして灯具２０を仕切壁１５１の開口１５２縁に吊り下げて灯具室３０内に収容した後，仕切壁１５１の中央に設けた開口１５２は，これを第２の透明板６０によって被蓋し，本体１０内の空間を,仕切壁１５１を境に完全に上下で仕切るようにしている。
【００５５】
この第２の透明板６０は，光透過性を有するものであれば通常の透明ガラスを使用可能であるが，この第２の透明板６０も，前述したリフレクタ２３や透光性フィルタ２４と同様， 波長７４０nm〜１１５０nmの光吸収性を付与するものとしても良く，このように構成することで透光性の蓋体４０に向かって照射される光中に含まれる赤外線成分を更に減少させることができ，透光性の蓋体の発熱をより一層抑制することが可能となる。
【００５６】
〔透光性の蓋体及び第１の透明板〕
以上のようにして灯具２０を収容した本体１０に対しては，上端開口１２より第１の透明板５０を挿入して，フランジ１６２に設けた係止段部１６４上に第１の透明板５０の周縁部を載置した後，更に透光性の蓋体４０を上端開口１２内に嵌合して，本体１０を被蓋する。
【００５７】
このようにして本体１０に形成された上端開口１２を被蓋する透光性の蓋体４０は，図２及び図５に示すようにガラス板４１等の透明板の周縁部に無端環状の金属製の枠体４２を取り付けた構造となっており，この枠体４２には，本体１０の開口１２内に設けられたフランジ１６２の上面に設けられた有底孔１６８の形成間隔と同一の間隔にボルト孔４２１が形成されており，この枠体４２部分を開口１２内に設けたフランジ１６２に載置すると共に，このフランジ１６２に設けた有底孔１６８にボルト留めすることで，本体１０の開口１２を密閉された状態に被蓋することができるようになっている。
【００５８】
なお，図示の実施形態にあっては，前述した第１の透明板５０と透光性の蓋体４０の間に六角柱状の孔が蜂の巣状に多数形成されたハニカムルーバ７０を配置しており，このハニカムルーバ７０によって照射光が幅方向に広がることを抑制して防眩性（グレアレス）を付与している。
【００５９】
〔作用等〕
以上のように構成された地中埋設型照明器具１の本体１０を地中に埋設した状態で，灯具２０に設けた光源ランプ２２を点灯すると，この光源ランプ２２の点灯により光の照射が開始される。
【００６０】
キャップ２７が被せてあることで，光源ランプ２２からの直接光は上方に向かって照射されず，リフレクタ２３によって反射された反射光のみが照明光として利用される。
【００６１】
そのため，リフレクタ２３の反射面に波長７４０nm〜１１５０nmの光吸収性を付与したことにより，光源ランプからの光はリフレクタ２３によって反射される際に，その中に含まれる赤外線成分が吸収され，このようにして赤外線成分が除去された光が上方に向けて照射される。
【００６２】
リフレクタによって上方に向けて反射された光は，その後，リフレクタ２３の前面を覆う透光性フィルタ２４を通過する際に更に赤外線成分が除去されると共に，仕切壁１５１の中央に設けた開口１５２を覆う第２の透明板６０に対しても波長７４０nm〜１１５０nmの光を吸収する性質を付与している場合には，この第２の透明板６０を通過する際にも赤外線成分が除去され，このようにして赤外線が大幅に除去された光源ランプ２２からの光は，第１の透明板５０，ハニカムルーバ７０を通過して透光性の蓋体４０に入射され，透光性の蓋体４０を通過して本体１０外に照射される。
【００６３】
従って，光源ランプ２２からの光は，透光性の蓋体４０に到達する前にその中に含まれる赤外線成分が大幅に除去される結果，光源ランプ２２からの光の照射を受けても，透光性の蓋体４０は殆ど発熱しない。
【００６４】
一方，前述したようにリフレクタ２３や透光性フィルタ２４，場合によっては第２の透明板６０に対して赤外線を吸収する性質を付与した場合，リフレクタ２３や透光性フィルタ２４，場合によっては第２の透明板６０は，赤外線の熱エネルギーを吸収して発熱する。
【００６５】
しかし，このようにしてリフレクタ２３や透光性フィルタ２４，場合によっては第２の透明板６０で生じた熱は，熱伝導性の良いアルミ乃至はアルミ合金によって形成された本体１０に好適に伝導され，本体１０の外側と接触している地中に吸収されることから，光源ランプ２２や安定器（図示せず）等がこの熱によるダメージを受けることが無い。
【００６６】
しかも，このようにして発熱したリフレクタ２３や透光性フィルタ２４，場合によっては第２の透明板６０の熱は，本体１０を介して地面に吸収されるだけでなく，前述のように発熱体と化したリフレクタ２３や透光性フィルタ２４を備える灯具２０を，仕切壁１５１によって隔離された灯具室３０内に収容することで，灯具室３０内の空気の対流によって灯具２０の冷却が行われると共に，この空気を媒介として本体１０を介した地中への熱放出が促進されると共に，灯具２０と透光性の蓋体４０との間には，第１の透明板５０と仕切壁１５１との間に形成された空気層３１，透光性の蓋体４０と第１の透明板５０との間に形成された空気層３２という二重の空気層が介在することで，リフレクタ２３や透光性フィルタ２４，第２の透明板６０の熱が，透光性の蓋体４０に対して伝わることが防止されている。
【００６７】
その結果，透光性の蓋体４０の温度上昇の防止と，光源ランプ２２や安定器が熱によりダメージを受けることの防止を両立させることができるものとなっている。
【００６８】
下記表１は，赤外線のカット量についての実施例の試験結果を示す。
〔試験内容〕
(1)光源
７００nm以上の赤外域成分の多いハロゲンランプ(90W: オスラム製：J12V90W)を測定した。
(2)測定方法
リフレクタ及びフィルタを以下の条件として，フィルタと測定面を平行とし，フィルタ中心，従ってランプ中心位置で，フィルタから５０cmの位置での温度を測定した。
【００６９】
【表１】
0005548071.tif 000002
【符号の説明】
【００７０】
１  （地中埋設型）照明器具
１０  本体
１１  上端縁
１２  開口
１３  底板
１４  角筒部
１５  円錐部
１５１  仕切壁
１５２  開口
１６  円筒部
１６１  傾斜段部
１６２  フランジ
１６４  係止段部
１６８  有底孔
１７  放熱フィン
１７’  凸条
１８  導入口
２０  灯具
２１  ソケット
２２  光源ランプ
２３  リフレクタ
２４  透光性フィルタ
２５  コーン
２５ａ  フランジ
２６  フレーム
２７  キャップ
３０  灯具室
３１  空気層（第１の透明板５０−仕切壁１５１間の）
３２  空気層（透光性の蓋体４０−第１の透明板５０間の）
４０  透光性の蓋体
４１  ガラス板
４２  枠体
４２１  ボルト孔
５０  第１の透明板
６０  第２の透明板
７０  ハニカムルーバ
２００  照明器具（地中埋設型）
２１０  本体
２２０  光源ランプ
２４０  透光性の蓋体
【図１】
0005548071.tif 000003
【図２】
0005548071.tif 000004
【図３】
0005548071.tif 000005
【図４】
0005548071.tif 000006
【図５】
0005548071.tif 000007
【図６】
0005548071.tif 000008